【事件の表示】
　特願２０１１−　８０２１９号「空気処理装置」拒絶査定不服審判事件〔平成２４年１１月　８日出願公開，特開２０１２−２１５３３２号〕について，次のとおり審決する。
【結　論】
　本件審判の請求は，成り立たない。
【理　由】
１　手続の経緯
　本願は，平成２３年３月３１日の出願であって，平成２５年１１月１５日付けの拒絶理由通知書に対し，平成２６年１月１７日に意見書及び手続補正書が提出された後，平成２６年２月２６日付けの拒絶理由通知書に対し，平成２６年４月２５日に意見書及び手続補正書が提出された後，平成２６年４月２５日の手続補正書でした補正の却下の決定が平成２６年７月３１日付けでされると共に，同日付けで拒絶査定され，これに対し，同年１０月１６日に拒絶査定不服審判が請求されると同時に手続補正書が提出され，審査官により平成２６年１２月１２日付けで前置報告書が作成され，平成２７年２月４日に請求人より上申書が提出されたものである。
　
２　平成２６年１０月１６日の手続補正書による補正（以下，「本件補正」という。）についての補正の却下の決定
［補正の却下の決定の結論］
　本件補正を却下する。
　
［理由］
（１）　補正後の本願の発明
　本件補正により，特許請求の範囲の請求項１は，
「下方に位置する加熱調理器により加熱された被調理物から発生する汚染空気を捕集する吸込み口と、
　前記吸込み口の上方に配置された風路と、
　前記風路と並列して配置され、前記汚染空気を前記風路より上方に吹出す送風機と、
　前記送風機の吹出し口の上方に接続され、上方向の屋外に接続された排気風路と、側面方向の室内に室内開口を向けて接続された循環風路と、前記排気風路と前記循環風路とへの風向きを切替えるダンパーと、を内蔵したチャンバーと、
　前記ダンパーと前記室内開口との間の前記循環風路に位置して脱臭剤とヒーターを備えた脱臭装置と、
　を備え、
　前記排気風路は前記送風機の前記吹出し口の直上方に配置し、前記吹出し口より前記排気風路に至る前記チャンバーの内部を空間とし、
　換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐことを特徴とする空気処理装置。」
と補正された。
　
（２）　補正について
　上記補正は，請求項１において，請求項１に記載した発明を特定するために必要な事項である「ダンパーと前記室内開口との間に位置」する「脱臭装置」について，「ダンパーと前記室内開口との間の前記循環風路に位置」すると特定するともに，「ダンパー」について，「換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐ」との発明を特定するために必要な事項を付加するものである。
　しかしながら，請求人は審判請求書（「３．（ｂ）」の項，参照。）にて願書に最初に添付した明細書又は図面（以下，「当初明細書等」という。）の【００１６】，図４及び図５−１などの記載に基づく補正である旨説明するものの，当初明細書等にはダンパーの向きの切り替えにより排気風路と循環風路とへの風向きを切替えることは記載されているが（「排気風路と循環風路とへの風向きを切替えるダンパーを備える。このダンパーの向きの切り替えにより、屋外または室内に送風される。」（【０００８】），「図５−１は、換気時のダンパー位置７ａと風の流れを示している。」（【００１６】），「ダンパー７の向きを変えることにより換気と循環を切替えることが可能となる」（【００２１】）等参照。），換気時に排気風路を屋外に開放するためにダンパーが排気風路に対して平行方向となったときについて，「循環風路を塞ぐ」との具体的な記載は何らなされておらず，かつ，当初明細書等から自明な事項とは認められない。
　したがって，上記補正は，当初明細書等に記載した事項の範囲内においてしたものでないから，特許法第１７条の２第３項に規定する要件を満たしていない。
　よって，本件補正は，特許法第１７条の２第３項の規定に違反するので，特許法第１５９条第１項の規定において読み替えて準用する同法第５３条第１項の規定により却下すべきものである。
　
　また，上記補正は，請求項１において，請求項１に記載した発明を特定するために必要な事項である「ダンパーと前記室内開口との間に位置」する「脱臭装置」について，「ダンパーと前記室内開口との間の前記循環風路に位置」すると特定するとともに，「ダンパー」について，「換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐ」との発明を特定するために必要な事項を付加するから，特許法第１７条の２第５項第２号の特許請求の範囲の減縮を目的とするものに該当するので，本件補正後の前記請求項１に記載された発明（以下，「本願補正発明」という。）が特許出願の際独立して特許を受けることができるものであるか（特許法第１７条の２第６項において準用する同法第１２６条第７項の規定に適合するか）について以下に検討する。
　
（３）　引用例
（ａ）　原査定の拒絶の理由に引用された特開２００５−５５０９５号公報（以下，「引用例１」という。）には，図面と共に次の事項が記載されている。
　
（ア）　「【特許請求の範囲】
【請求項１】
　フード１０と、このフード１０内の空気を吸込み送風する送風機２０と、この送風機２０の送風側を室内に連通する第１排出経路３０と、前記送風機２０の送風側を室外に連通する第２排出経路４０と、排出経路選択手段５０を備え、
　この排出経路選択手段５０は、前記第１排出経路３０を連通し、かつ第２排出経路４０を遮断する第１の状態と、前記第２排出経路４０を連通し、かつ第１排出経路３０を遮断する第２の状態を有することを特徴とするレンジフード。
【請求項２】
　送風機２０の送風能力は、排出経路選択手段５０が第１の状態の時よりも第２の状態の時が小さい請求項１記載のレンジフード。
【請求項３】
　第１排出経路３０に脱臭フィルター３４を設けた請求項１又は２記載のレンジフード。
【請求項４】
　排出経路選択手段５０は、第１の状態の時に第２排出経路４０を連通する請求項１〜３いずれか１項記載のレンジフード。」
　
（イ）　「【０００７】
　そこで、本発明は、調理時にはフードで捕集した油煙などを含む空気を室内に環流させ、換気時には室内の空気を室外に排出できるようにしたレンジフードとし、それによって、調理時に燃焼ガスを発生しない調理器具に用いるレンジフードとして好ましいと共に、室内の常時換気として利用できるレンジフードとした。
【０００８】
　具体的には、本発明は、フード１０と、このフード１０内の空気を吸込み送風する送風機２０と、この送風機２０の送風側を室内に連通する第１排出経路３０と、前記送風機２０の送風側を室外に連通する第２排出経路４０と、排出経路選択手段５０を備え、
　この排出経路選択手段５０は、前記第１排出経路３０を連通し、かつ第２排出経路４０を遮断する第１の状態と、前記第２排出経路４０を連通し、かつ第１排出経路３０を遮断する第２の状態を有することを特徴とするレンジフードである。
【０００９】
　本発明における送風機２０の送風能力は、排出経路選択手段５０が第１の状態の時よりも第２の状態の時が小さいことが好ましい。
【００１０】
　本発明における第１排出経路３０に脱臭フィルター３４を設けることが好ましい。
【００１１】
　本発明における排出経路選択手段５０は、第１の状態の時に第２排出経路４０を連通することが好ましい。
【発明の効果】
【００１２】
　請求項１に係る発明によれば、排出経路選択手段５０を第１の状態として送風機２０を駆動することで、フード１０内の空気を室内に環流できるので、調理時に発生した油煙などを含む空気をフード１０で捕集して室内に環流できる。
　前記排出経路選択手段５０を第２の状態として送風機２０を駆動することで、フード１０内の空気を室外に排出できるので、室内の常時換気ができる。
　よって、本発明に係るレンジフードは、調理時に燃焼ガスを発生しない調理器具に用いるものとして好ましいと共に、室内の常時換気として利用できる。
【００１３】
　請求項２に係る発明によれば、室内の常時換気する時の送風機２０の送風能力が油煙等を含む空気を室内に環流する時の送風能力よりも小さく、送風機駆動コストが安い。
【００１４】
　請求項３に係る発明によれば、調理時に発生した油煙等の臭気を脱臭フィルター３４で吸収できるので、臭いのない油煙等を含む空気が室内に環流される。
【００１５】
　請求項４に係る発明によれば、調理時に発生した臭気の一部が室外に排出されるので、室内に伝わる臭気を低減できる。
【発明を実施するための最良の形態】
【００１６】
　図１に示すように、フード１０と、このフード１０内の空気を吸込み送風する送風機２０と、この送風機２０の送風側を室内に連通する第１排出経路３０と、前記送風機２０の送風側を室外に連通する第２排出経路４０と、この第１・第２排出経路３０，４０をそれ
ぞれ連通・遮断する排出経路選択手段５０を備えている。
【００１７】
　このようであるから、排出経路選択手段５０で第１排出経路３０を連通し、かつ第２排出経路４０を遮断（つまり、第１の状態）して送風機２０を駆動することで、フード１０内の空気が室内に環流されるので、調理時にフード１０で捕集した油煙などを含む空気を室内に環流できる。
【００１８】
　また、前記排出経路選択手段５０で第１排出経路３０を遮断し、かつ第２排出経路４０を連通（つまり、第２の状態）して送風機２０を駆動することで、フード１０内の空気が室外に排出されるので、室内の常時換気ができる。
　この場合には、送風機２０の送風能力を調理時よりも小さくして消費電力を低減すると共に、騒音低減することが好ましい。
　つまり、室内の常時換気時に必要とする排出空気量（換気量）は、調理時に必要とする排出空気量よりも少ないので、送風機２０の送風能力を、その換気量を満足するように低減する。具体的には、前述した建築基準法で規制されている換気量自体は、調理時における排気量と比較した場合それほど多い量ではなく、室内の容積（キッチンあるいはダイニングルームを含めて）に対して一時間に０．５回以上、又は０．７回程度空気を入れ換えできる程度の換気量である。よって、換気量は排出空気量よりもきわめて少ない。
【００１９】
　次に、各部材の具体形状の一例を図１と図２に基づいて説明する。
　前記フード１０は下面が開口した箱形状で、かつ仕切板１１で下面に開口した入口側室１２と出口側室１３に区画され、その仕切板１１にフィルター１４が取付けられ、このフィルター１４で入口側室１２と出口側室１３が連通し、調理時に発生した油煙などの油分をフィルター１４で捕獲する。
　前記送風機２０は、ケーシング２１内にファン２２を回転自在に設け、そのファン２２をモータ２３で回転駆動するものである。
　前記ケーシング２１がフード１０内部、例えば出口側室１３内に取付けられ、このケーシング２１の吸込口が出口側室１３に開口し、ケーシング２１の送風口がダクト２４でフード１０の上面板１５に形成した出口１６に連通している。
【００２０】
　前記第１排出経路３０と第２排出経路４０と排出経路選択手段５０は、フード１０と天井１との間の空間部２に設けてあり、それらは化粧板３で覆われて室内から見えないようにしてある。
　これによって、フード１０と天井１との間の空間部２を有効利用できると共に、見栄えが良い。
【００２１】
　具体的には、前記フード１０の上面板１５に選択用箱体５１が取付けてあり、この選択用箱体５１には入口５２と第１・第２出口５３，５４が形成されていると共に、この選択用箱体５１内に選択用バルブ５５が回転可能に取付けてある。前記入口５２がフード１０の出口１６に連通している。
　この選択用バルブ５５は図２に示す第１位置と図３に示す第２位置に亘って回転する。例えば、モータ５６で回転する。
　前記選択用バルブ５５が第１位置であると入口５２と第１出口５３が連通し、かつ入口５２と第２出口５４が遮断し、第２位置であると入口５２と第２出口５４が連通し、かつ入口５２と第１出口５３が遮断する。
　これによって、前述の排出経路選択手段５０を形成している。
【００２２】
　前記フード１０の上面板１５に箱体３１が取付けてあり、この箱体３１は流入口３２と流出口３３を有し、その流入口３２が前述の第１出口５３に連通し、かつ流出口３３が室内に開口して前述の第１排出経路３０を形成している。
　前記箱体３１内には脱臭フィルター３４が取付けてある。この脱臭フィルター３４は通気性を有する容器３４ａ内に脱臭剤３４ｂを充填したもので、油煙中の臭い成分を吸収する。
　前記フード１０の上面板１５には前述の化粧板３が取付けてあり、この化粧板３で箱体３１が見えないようにしてある。この化粧板３には流出口３３と対向した通気部４が形成されている。
【００２３】
　前記選択用箱体５１の第２出口５４にダクト４１が接続され、このダクト４１が室外まで連続して前述の第２排出経路４０を形成している。
【００２４】
　前記フード１０の前面板１７に操作パネル６０が取付けてある。
　この操作パネル６０には図４に示すように、換気スイッチ６１と、運転スイッチ、例えば弱運転スイッチ６２、中運転スイッチ６３、強運転スイッチ６４等を備えている。
　前記各スイッチのＯＮ、ＯＦＦ信号はコントローラ６５に入力され、そのコントローラ６５が前記送風機２０のモータ２３、排出経路選択手段５０のモータ５６を駆動制御する。
【００２５】
　次に、レンジフードの運転動作について説明する。
　運転スイッチを一度押すとＯＮ信号を出力し、コントローラ６５は送風機２０のモータ２３に通電してファン２２を回転すると共に、排出経路選択手段５０のモータ５６に通電して選択用バルブ５５を第１位置として第１排出経路３０を連通し、かつ第２排出経路４０を遮断する。
　これによって、フード１０内に捕集した油煙等を含む空気が第１排出経路３０から室内に環流される。
【００２６】
　前記弱運転スイッチ６２を一度押した時（ＯＮ時）には送風機２０のモータ２３への通電量が少なく送風能力が小で、中運転スイッチ６３を一度押した時には送風機２０のモータ２３への通電量が普通で送風能力が中で、強運転スイッチ６４を一度押した時には送風機２０のモータ２３への通電量が多く送風能力が大である。
　このようであるから、調理時に発生する油煙量などに応じて送風機２０の送風能力（吸い込み能力）を選択できる。
【００２７】
　前述の運転スイッチを一度押した後に再び押すとＯＦＦ信号を出力し、コントローラ６５は各モータ２３，５６への通電を止めて送風機２０を停止する。
【００２８】
　前述の状態で換気スイッチ６１をＯＮすると各モータ２３，５６に通電して送風機２０を駆動すると共に、選択用バルブ５５を第２位置として第２排出経路４０を連通し、かつ第１排出経路３０を遮断する。
　これによって、フード１０内の空気（つまり、室内の空気）が室外に排出され、室内を換気することができる。
【００２９】
　この時、送風機２０のモータ２３への通電量は運転時の通電量よりも少なくし、送風機２０の送風能力を運転時の送風能力よりも小さくする。
　つまり、換気時の風量は前述したように調理時に室内に排出する風量に比べて少ないので、換気時の送風能力を運転時（弱運転時）の送風能力よりも小さく、好ましくはきわめて小さくして送風機２０の運転コストを低減する。」
　
（ウ）　図１には，レンジフードの一部破断全体側面図が，図２には，排出経路と排出経路選択手段部分の一部破断拡大側面図が，図３には，切換バルブを第２位置とした状態の説明図が示されている。
　
（エ）　段落【００１９】等の記載と図１の図示内容とから，調理時に発生した油煙などを含む空気は，下方に位置する加熱調理器により加熱された被調理物から発生するものといえるとともに，その空気はフード１０下面の開口の上方に設けられ，ケーシング２１の吸い込み口へ至る流路を流れるといえる。また，送風機２０は，ケーシング２１の送風口がダクト２４でフード１０の上面板１５に形成した出口１６に連通しているから，調理時に発生した油煙などを含む空気をその流路より上方に吹出すといえる。
　
（オ）　段落【００１９】ないし【００２１】及び【００２３】等の記載と図１ないし図３の図示内容とから，第２排出経路４０はレンジフードの上方向にあり，送風機２０のケーシング２１の送風口，すなわち，送風機２０の送風口の上方に接続され，室外に連通しているといえる。
　
（カ）　段落【００２０】ないし【００２２】等の記載と図１ないし図３の図示内容とから，レンジフードの側面方向に流出口３３があり，流出口３３は室内にある通気部４と対向していて，第１排出経路３０は室内に流出口３３を向けて接続されているといえる。
　
（キ）　段落【００２０】ないし【００２３】等の記載と図２及び図３の図示内容とから，選択用バルブ５５は第２排出経路４０と第１排出経路３０とへの風向きを切替えるものであり，選択用箱体５１は第１排出経路３０と第２排出経路４０と選択用バルブ５５とを内蔵しているといえる。
　
（ク）　段落【００２２】等の記載と図２及び図３の図示内容とから，脱臭フィルター３４は，容器３４ａ内に脱臭剤３４ｂを充填したものであるから，脱臭剤３４ｂを備えているといえる。
　
（ケ）　段落【００１９】及び【００２２】等の記載と図１ないし図３の図示内容とから，第２排出経路４０は送風機２０のケーシング２１の送風口，すなわち，送風機２０の送風口の直上方に配置しており，送風口より第２排出経路４０に至る選択用箱体５１の内部に選択用バルブを有しているといえる。
　
（コ）　段落【００２１】及び【００２８】等の記載と図３の図示内容とから，選択用バルブ５５は換気時に第１排出経路３０を遮断するといえる。
　
　これらの事項を総合すると，引用例１には次の発明（以下，「引用発明」という。）が記載されているものと認められる。
　
「下方に位置する加熱調理器により加熱された被調理物から発生する調理時に発生した油煙などを含む空気を捕集するフード１０の下面の開口と，
　前記フード１０下面の開口の上方に設けられた流路と，
　前記フード１０内部に取付けられ，前記調理時に発生した油煙などを含む空気を前記流路より上方に吹出す送風機２０と，
　前記送風機２０の送風口の上方に接続され，上方向の室外に連通する第２排出経路４０と，側面方向の室内に流出口３３を向けて連通した第１排出経路３０と，前記第２排出経路４０と前記第１排出経路３０とへの風向きを切替える選択用バルブ５５と，を内蔵した選択用箱体５１と，
　前記選択用バルブ５５と前記流出口３３との間の前記第１排出経路３０の箱体３１内に取付けた脱臭剤３４ｂを備えた脱臭フィルター３４と，
　を備え，
　前記第２排出経路４０は前記送風機２０の前記送風口の直上方に配置し，前記送風口より前記第２排出経路４０に至る前記選択用箱体５１の内部に選択用バルブを有し，
　換気時に前記第２排出経路４０を前記室外に連通するために，前記選択用バルブ５５は前記第１排出経路３０を遮断するレンジフード。」
　
（ｂ）　原査定の拒絶の理由に引用された特開平１０−１９７０２４号公報（以下，「引用例２」という。）には，図面と共に次の事項が記載されている。
　
（ア）　「【０００７】
【発明の実施の形態】次に、本発明の実施の形態を図面に基づいて説明する。図１乃至図５は本発明レンジフードファン用脱臭装置の実施の形態、詳細には燃焼ガスを発生しない調理器具上方に設置するレンジフードファンの天板上に設けられる脱臭装置を示している。
【０００８】このレンジフードファン用脱臭装置Ａは図示するように既設の平型レンジフードファンや市販（新設）の平型レンジフードファン（後述では単にレンジフードファンＢと称する）の平面視形状を有し且つ下面を開放した偏平箱状のボックス１と、そのボックス１内に収容された脱臭フィルター２と、その脱臭フィルター２で脱臭された清浄化した空気を室内に給気還流する給気口３と、レンジフードファンＢの天板14との取付部５とを備えている。
【０００９】レンジフードファンＢは旧来と同様にフード部４の下側に捕捉空間24を確保するように横設した油脂分を除去するフィルター34の背後に送風機44を収容してなり、送風機44のケーシング44ａを天板14に取付吊持している。」
　
（イ）　「【００２４】図１１及び図１２は室内循環、屋外排気切替えタイプのレンジフードファン用脱臭装置の形態を示している。このレンジフード用脱臭装置Ａは前述する各実施の形態で説明したボックス１を前記吐出口64まで到達しない奥行き寸法とし、且つその後面に室内循環、屋外排気とに選択可能なダンパー手段９を一体的に有している。尚、脱臭フィルター２は前述する実施の形態と同様に無機系イオン吸着型の顆粒状消臭剤を使用してボックス１内に水平に支承した点、給気口３をルーバー13で構成した点、ボックス１の前面部11が幕板54を兼用している点、脱臭フィルタがボックス１の前面部分から取り出し可能になっている点、ボックス１のレンジフードファンＢの天板14に対する取付け方等は前述する実施の形態と同様であるため、同一符号を付けて説明は省略して示す。
【００２５】このダンパー手段９は、本実施の形態ではダンパー室19とダンパー29とで構成している。ダンパー室19は前記ボックス１内とに連通する連通口19ａを側面に、前記吐出口64に連絡する連絡口19ｂを下面に、更に出口19ｃを上面に各々有するダンパーボックス19’と、そのダンパーボックス19’に積み重ね状に取付けられ前記出口19ｃと連通する入口19e を下面に、排気手段201 との接続口19ｆを選択的に開口可能とするハーフカット200 ’を残り４面（側面）に有する接続用ボックス19”とで構成されている。これにより前記連絡口19ｂと連通口19ａとで前記吐出口64とボックス１との連絡部を構成し、且つ前記連絡口19ｂと出口19ｃと入口19ｅと接続口19ｆとで排気手段201 の連絡部を構成する。また、ダンパー29はダンパーボックス19’内に回動可能に設けられており、アクチュエータで駆動する方式とし、前記連通口19ａ、出口19ｃを選択的に閉口するようになっている。
【００２６】排気手段201 は本実施の形態では排気ダクト200 （スパイラルダクト）とアルミ製もしくはその他の可撓性を有する接続用のダクト202 とで構成してなり、既設のレンジフードファンＢ上に設置する場合には前記吐出口64から接続ダクト（図示せず）を外した後、接続用ボックス19”における一番近いハーフカット200’を打ち抜いて形成された接続口19ｆに、排気ダクト200 に一端を接続した前記接続用のダクト202 の他端をその可撓性を利用して差し込み、ボックス１を前記と同様に天板14に取付けることで装着が完結する。このダンパー29のボックス１に対する取付けは図示するように前記するボックス１の後面に設けた複数個のハーフカット31’の中から選択して打ち抜くことによって形成された図９と同様な取付口19ａ’に、内部を連通口19ａとし前記ダンパーボックス19’に接続する筒部を差し込み固定する等所望の手段で行われる。尚、レンジフードファンを新設する場合には前記排気手段201 は現場で配管される排気手段（図示せず）に接続する。ちなみに、前記する接続用ボックス19”を使用すると側面に接続用のダクト202 を接続できるため、上面に接続する場合と比べて接続作業が簡単であるし、レンジフードファンＢを地方自治体の火災予防法令に適合した高さ位置に取付ける上で好適である。
【００２７】このように取付けられたこの実施の形態のレンジフードファン用脱臭装置Ａは燃焼ガスを発生しない調理器具から発生する調理臭、煙りを屋外に直接排気する流路と、脱臭フィルター２を介してルーバー13から室内に給気還流する流路とに切替え可能となる。従って、魚焼き等で多量の煙や強い臭気が発生し、脱臭フィルター２を通しても脱臭が確実ではなく、何度も脱臭フィルター２で脱臭をしなければ完全に脱臭できないような場合や脱臭フィルター２をかえって痛める場合には、直接屋外に排気して室内が不快にならないようにすることができる。
【００２８】また、図１１及び図１２に示す脱臭装置Ａは燃焼ガスを発生するガスコンロ等の調理器具上方に設置するレンジフードファンＢの天板14上に設置することもできる。その場合には調理器具から発生する燃焼ガスを屋外に直接排気する流路と、脱臭フィルター２を介してルーバー13から室内に給気還流する流路とに切替え可能となる。従って、燃焼ガスを発生する調理器具を使用する通常使用時にはダンパー29で屋外排気に切り替えて直接屋外に排気し、魚焼きや煮炊きが終わって調理器具を停止した後に調理物から立ち昇る調理臭や室内に放散される臭気で室内が不快な時に室内還流に切り替える自在性を採ることができる。」
　
（ウ）　図１１には，脱臭装置とレンジフードファンとの関係を示す分解斜視図が，図１２には，脱臭装置の取付け状態を一部切欠して示す側面図が示されている。
　
（エ）　上記記載事項と図１２の図示内容とから，レンジフードファンＢは，排気する流路は送風機４４の吹出し口の直上方に配置し，前記吹出し口より前記排気する流路に至るダンパー室１９の内部を空間とし，換気時に前記排気する流路を開放するためにダンパー２９が前記排気する流路に対して平行方向となったときに，前記ダンパー２９は前記吹出し口の直上方に存在せず，脱臭フィルター２の前記ダンパー室１９側に前記ダンパー２９が位置して，給気口３への流路を閉口するものといえる。
　
　これらの事項を総合すると，引用例２には次の事項（以下，「引用例２記載事項」という。）が記載されているものと認められる。
　
「室内循環，屋外排気切り替えタイプであって屋外に排気する流路と脱臭フィルター２を介して室内に給気還流流路との切り替え可能なダンパー室１９とダンパー２９とで構成されたダンパー手段９を備え，
　前記排気する流路は送風機の吹出し口の直上方に配置し，前記吹出し口より前記排気する流路に至る前記ダンパー室の内部を空間とし，
換気時に前記排気する流路を開放するために前記ダンパーが前記排気する流路に対して平行方向となったときに，前記ダンパーは前記吹出し口の直上方に存在せず，前記脱臭フィルターの前記ダンパー室側に前記ダンパーが位置して，前記給気口への流路を閉口するレンジフードファン。」
　
（４）　対比
　本願補正発明と引用発明とを対比する。
　その機能・構成からして，引用発明の「調理時に発生した油煙などを含む空気」は本願補正発明の「汚染空気」に相当し，以下同様に，「フード１０の下面の開口」は「吸込み口」に，「流路」は「風路」に，「送風機２０」は「送風機」に，「送風口」は「吹出し口」に，「連通する」或いは「連通した」態様は「接続された」或いは「開放する」態様に，「第２排出経路４０」は「排気風路」に，「流出口３３」は「室内開口」に，「第１排出経路３０」は「循環風路」に，「選択用バルブ５５」は「ダンパー」に，「選択用箱体５１」は「チャンバー」に，「脱臭剤３４ｂ」は「脱臭剤」に，「遮断する」態様は「塞ぐ」態様に，「レンジフード」は「空気処理装置」に，
それぞれ相当している。
　また，本願補正発明の「屋外」と引用発明の「室外」とは，ともに「室外」である限りにおいて共通している。
　さらに，引用発明の「第１排出経路３０の箱体３１内に取付けた」ことは「第１排出経路３０に位置している」ことといえるから，本願補正発明の「ダンパーと前記室内開口との間の循環風路に位置して脱臭剤とヒーターとを備えた脱臭装置」と引用発明の「選択用バルブ５５と前記通気部４との間の第１排出経路３０の箱体３１内に取付けた脱臭剤３４ｂを備えた脱臭フィルター３４」とは，結局，「ダンパーと前記室内開口との間の循環風路に位置して脱臭剤を備えた脱臭装置」の概念で共通している。
　そして，本願補正発明の「排気風路は前記送風機の吹出し口の直上方に配置し、前記吹出し口より前記排気風路に至る前記チャンバーの内部を空間とし、換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐ」態様と引用発明の「排気風路は前記送風機の吹出し口の直上方に配置し、前記吹出し口より前記排気風路に至る前記チャンバーの内部に選択用バルブを有し，換気時に前記第１排出経路３０を前記室外に連通するために，前記選択用バルブ５５は前記第１排出経路３０を遮断する」態様とは，ともに「排気風路は前記送風機の吹出し口の直上方に配置し、前記吹出し口より前記排気風路に至る前記チャンバーを備え、換気時に前記排気風路を前記室外に開放するために、前記ダンパーは前記循環風路を塞ぐ」態様の概念で共通している。
　
　したがって，両者は，
「下方に位置する加熱調理器により加熱された被調理物から発生する汚染空気を捕集する吸込み口と、
　前記吸込み口の上方に配置された風路と、
　前記汚染空気を前記風路より上方に吹出す送風機と、
　前記送風機の吹出し口の上方に接続され、上方向の室外に接続された排気風路と、側面方向の室内に室内開口を向けて接続された循環風路と、前記排気風路と前記循環風路とへの風向きを切替えるダンパーと、を内蔵したチャンバーと、
　前記ダンパーと前記室内開口との間の前記循環風路に位置して脱臭剤を備えた脱臭装置と、
　を備え、
　前記排気風路は前記送風機の前記吹出し口の直上方に配置し、前記吹出し口より前記排気風路に至る前記チャンバーを備え、
　換気時に前記排気風路を前記室外に開放するために、前記ダンパーは前記循環風路を塞ぐ空気処理装置。」
の点で一致し，以下の点で相違している。
　
［相違点１］
　送風機が，本願補正発明では「風路に並列して配置され」るのに対し，引用発明ではフード内部に取付けられているものの「風路に並列して配置され」ているか不明である点。
　
［相違点２］
　排気風路が接続される室外が，本願補正発明では「屋外」であるのに対し，引用発明では「室外」である点。
　
［相違点３］
　脱臭装置が，本願補正発明では「脱臭剤とヒーターを備え」る「脱臭装置」であるのに対し，引用発明では「脱臭フィルター」であって「脱臭剤」を備えるものの「ヒーター」を備えることは特定されていない点。
　
［相違点４］
　排気風路は前記送風機の吹出し口の直上方に配置し，前記吹出し口より前記排気風路に至る前記チャンバーを備え，換気時に前記排気風路を前記室外に開放するために，前記ダンパーは前記循環風路を塞ぐ態様が，本願補正発明では，「排気風路は前記送風機の吹出し口の直上方に配置し、前記吹出し口より前記排気風路に至る前記チャンバーの内部を空間とし、換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐ」のに対し，引用発明では，「第２排出経路は前記送風機の吹出し口の直上方に配置し、前記吹出し口より前記第２排出経路に至る前記選択用箱体の内部に選択用バルブを有し、換気時に前記第２排出経路を前記室外に連通するために，前記選択用バルブは前記第１排出経路を遮断する」ものである点。
　
（５）　判断
　上記相違点について以下検討する。
　
　・相違点１について
　引用例１の図１の図示内容からすると，フード１０の内部に取付けられた送風機２０は油煙などを含む空気の流路の側方に配置されているといえるので，相違点１は実質的な相違点ではない。また，実質的な相違点だとしても，レンジフードなどのフードの内部に取付けられた送風機を風路の側方に配置して風路と並列して配置するものは，例えば，特開２００５−２２６９１５号公報（特に，図１参照。），特開２０００−７４４４２号公報（特に，図１参照。）や特開平７−２２９６４０号公報（特に，図１等参照。）にあるように本願出願前周知の技術的事項といえる。そうすると，引用発明をして，上記相違点１に係る本願補正発明の構成とすることは，当業者が容易に想到し得たことである。
　
　・相違点２及び相違点４について
　引用発明の室外に排気する換気は，「常時換気」（上記摘記事項（イ）の引用例段落【０００７】等参照。）であって室内に新鮮な空気を供給するものであるから，換気先の室外を屋外とすることは，当然である。
　また，引用例２記載事項からして，引用例２に記載された発明は「室内循環、屋外排気切り替えタイプであって屋外に排気する流路と脱臭フィルターを介して室内に給気還流流路との切り替え可能なダンパー室１９とダンパー２９とで構成されたダンパー手段９」を備え，本願補正発明の「排気手段への風路は前記送風機の吹出し口の直上方に配置し、前記吹出し口より前記排気手段への風路に至る前記ダンパー手段の内部を空間とし、換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐ」構成に相当する構成を備えている。
　そうすると，引用発明の「選択用箱体５１」と「選択用バルブ５５」は室内への第１排出経路３０と室外への第２排出経路４０とを切替えるものであるから，同様な機能を奏する引用例２に記載された発明の「ダンパー室１９」と「ダンパー２９」を採用することで，引用発明において，上記相違点２及び相違点４に係る本願補正発明の構成とすることは，当業者が容易に想到し得たことである。
　
　・相違点３について
　調理に係る空気処理装置において，「脱臭剤とヒーターを備え」る「脱臭装置」を採用することは，本願出願前周知のことである（例えば，特開２０１０−２０７６５８号公報（段落【００１０】〜【００１３】等参照。），特開２００６−８１７４５号公報（【特許請求の範囲】の【請求項１】等参照。），特開平８−６６４６０号公報（【特許請求の範囲】及び段落【０００１】等参照。）や特開平７−３１３８３４号公報（【特許請求の範囲】の【請求項１】及び段落【０００１】等参照。）。
　そうすると，引用発明において，上記相違点３に係る本願補正発明の構成とすることは，当業者が容易に想到し得たことである。
　
　また，本願補正発明の全体構成により奏される効果も，引用発明，引用例２に記載された発明及び周知技術から当業者が予測し得る範囲内のものである。
　
　なお，本願補正発明について，請求人は審判請求書（「３．本願発明が特許されるべき理由（ａ）本願発明の説明 」参照。）及び平成２７年２月４日提出の上申書（「１．本願発明の説明」参照。）において「さらに、ヒーターによる加熱時に脱臭剤から発生する熱や臭気は、室温よりも高温であるため、チャンバーの排気風路を通じて自然に屋外へ排出されます。即ち、本願の請求項１に係る発明によれば、簡易な構造で、ヒーターでの加熱時に発生する熱や臭気が送風を必要とせずに排気風路を通じてドラフト効果で自然に屋外へ排出されるので、熱や臭気の室内拡散を防止することができるという効果が得られます。」と主張する。しかし，本願補正発明は，排気風路と循環風路とへの風向きを切替えるダンパーが，換気時に循環風路を塞ぐものであって，排気風路と循環風路とが同時に屋外へ連通するものではないから，循環通路にある脱臭剤を加熱しても脱臭剤から発生する熱や臭気は，必ずしも排気風路を通じてドラフト効果で自然に屋外へ排出されるとはいえない。したがって，請求人の上記主張は採用できるものではない。
　
　よって，本願補正発明は，引用発明，引用例２に記載された発明及び周知技術に基いて，当業者が容易に発明をすることができたものであるから，特許法第２９条第２項の規定により特許出願の際独立して特許を受けることができないものである。
　
（６）　むすび
　以上のとおりであって，本件補正は，特許法第１７条の２第３項に違反し，また，特許法第１７条の２第６項で準用する同法第１２６条第７項の規定に違反するので，同法第１５９条第１項の規定において読み替えて準用する同法第５３条第１項の規定により却下すべきものである。
　
３　本願の発明について
　本件補正は上記のとおり却下され，平成２６年４月２５日の手続補正書による手続補正は却下されているので，本願の請求項１に係る発明（以下，同項記載の発明を「本願発明」という。）は，平成２６年１月１７日の手続補正書の特許請求の範囲の請求項１に記載された事項により特定される，以下のとおりのものである。
「下方に位置する加熱調理器により加熱された被調理物から発生する汚染空気を捕集する吸込み口と、
　前記吸込み口の上方に配置された風路と、
　前記風路と並列して配置され、前記汚染空気を前記風路より上方に吹出す送風機と、
　前記送風機の吹出し口の上方に接続され、上方向の屋外に接続された排気風路と、側面方向の室内に室内開口を向けて接続された循環風路と、前記排気風路と前記循環風路とへの風向きを切替えるダンパーと、を内蔵したチャンバーと、
　前記ダンパーと前記室内開口との間に位置して脱臭剤とヒーターを備えた脱臭装置と、
　を備え、
　前記排気風路は前記送風機の吹出し口の直上方に配置し、前記吹出し口より前記排気風路に至る前記チャンバーの内部を空間とすることを特徴とする空気処理装置。」
　
（１）　引用例
　原査定の拒絶の理由に引用された引用例，及び，その記載事項は，前記「２　（３）」に記載したとおりである。
　
（２）　対比・判断
　本願発明は，前記「２　（２）」で検討した本願補正発明における請求項１に記載した発明を特定するために必要な事項である「ダンパーと前記室内開口との間の前記循環風路に位置」する「脱臭装置」について，「ダンパーと前記室内開口との間に位置」すると特定するともに，「ダンパー」について，「換気時に前記排気風路を前記屋外に開放するために前記ダンパーが前記排気風路に対して平行方向となったときに、前記ダンパーは前記吹出し口の直上方に存在せず、前記脱臭装置の前記チャンバー側に前記ダンパーが位置して、前記循環風路を塞ぐ」との発明を特定するために必要な事項を削除したものに実質的に相当する。
　
　そうすると，本願発明の発明を特定するために必要な事項を全て含み，さらに他の発明を特定するために必要な事項を付加したものに相当する本願補正発明が，前記「２　（４）及び（５）」に記載したとおり，引用発明，引用例２に記載された発明及び周知技術に基いて，当業者が容易に発明をすることができたものであって，本願発明も，同様の理由により，引用発明，引用例２に記載された発明及び周知技術に基いて，当業者が容易に発明をすることができたものである。
　
（３）　むすび
　以上のとおり，本願発明は，引用発明，引用例２に記載された発明及び周知技術に基いて当業者が容易に発明をすることができたものであるから，特許法第２９条第２項の規定により特許を受けることができないため，本願の特許請求の範囲の他の請求項に係る発明について検討するまでもなく，本願は，同法第４９条第２号の規定に該当し，拒絶をされるべきものである。
　よって，結論のとおり審決する。